(57)【特許請求の範囲】
【請求項１】
上下方向へ延びる第１当接プレートと、前記第１当接プレートの連接側縁に連接されて上下方向へ延びていて該第１当接プレートに対向する第２当接プレートと、前記第１当接プレートの連接側縁とは反対側の前記第２当接プレートの連接側縁に連接されて上下方向へ延びていて該第１当接プレートに固着された側部フラップとを有し、それらプレートに囲繞された内部スペースに立体形状の商品を収容する商品収容容器であって、
前記商品収容容器が、前記第１当接プレートの下端縁に連接され、該第１当接プレートの内側に位置して該下端縁から斜め上方へ所定の角度で傾斜可能な第１支持フラップと、前記第１支持フラップの側方に隣接して前記第２当接プレートの下端縁に連接され、該第２当接プレートの内側に位置して該下端縁から斜め上方へ所定の角度で傾斜可能な第２支持フラップと、前記第２支持フラップの側方に隣接して前記第２当接プレートの下端縁に連接され、該第２当接プレートの内側に位置して該下端縁から斜め上方へ所定の角度で傾斜可能な第３支持フラップと、前記第３支持フラップの側方に隣接して前記側部フラップの下端縁に連接され、該側部フラップの内側に位置して該下端縁から斜め上方へ所定の角度で傾斜可能な第４支持フラップとを含み、
前記第２支持フラップが、前記第１当接プレートの連接側縁の側から上方へ延びていて前記収容容器の中心軸に次第に近づくように斜め上方へ傾斜する第１折曲縁と、前記第１折曲縁に連接されて前記第１支持フラップの自由端縁に並行し、該第１支持フラップに固着されて該第１および第２支持フラップを斜め上方へ所定角度で傾斜させる第１固着フラップとを備え、前記第４支持フラップが、前記第２当接プレートの連接側縁の側から上方へ延びていて前記収容容器の中心軸に次第に近づくように斜め上方へ傾斜する第２折曲縁と、前記第２折曲縁に連接されて前記第３支持フラップの自由端縁に並行し、該第３支持フラップに固着されて該第３および第４支持フラップを斜め上方へ所定角度で傾斜させる第２固着フラップとを備え、
前記商品収容容器では、前記第１〜第４支持フラップの自由端縁に囲繞されて前記商品を挿入する下方開口が画成され、前記商品を前記下方開口から前記内部スペースに挿入するときに、該下方開口が広がって該商品が該内部スペースに収容され、前記内部スペースに収容された前記商品に当接する前記第１および第２当接プレートが該商品の厚みによって前後方向へ膨隆したときに、前記第１〜第４支持フラップが斜め上方へ所定の角度で傾斜しつつ前記下方開口が狭窄し、前記第１〜第４支持フラップの自由端縁が前記商品の底面に当接して該商品が該第１〜第４支持フラップに抜け出し不能に支持されることを特徴とする商品収容容器。
【請求項２】
前記商品収容容器では、前記第１および第２当接プレートが前記商品の厚みによって前後方向へ膨隆したときに、前記第１および第４支持フラップの自由端縁が前記第１当接プレートの内面の側から前記第２当接プレートの側に向かって移動し、前記第２および第３支持フラップの自由端縁が前記第２当接プレートの内面の側から前記第１当接プレートの側に向かって移動することで、前記下方開口が狭窄する請求項１に記載の商品収容容器。
【請求項３】
前記商品収容容器では、前記第１当接プレートの幅寸法と前記第２当接プレートの幅寸法とが略同一であり、前記側部フラップの幅寸法が前記第１および第２当接プレートの幅寸法の略半分であり、前記第１支持フラップが、前記第１当接プレートの幅寸法を二分する第１縦中心線と該第１当接プレートの連接側縁との間に延びる該第１当接プレートの下端縁に連接され、前記第２支持フラップが、前記第２当接プレートの幅寸法を二分する第２縦中心線と前記第１当接プレートの連接側縁との間に延びる該第２当接プレートの下端縁に連接され、前記第３支持フラップが、前記第２縦中心線と前記第２当接プレートの連接側縁との間に延びる該第２当接プレートの下端縁に連接されている請求項１または請求項２に記載の商品収容容器。
【請求項４】
前記第１支持フラップの自由端縁の幅寸法が、前記第１縦中心線と前記第１当接プレートの連接側縁との間に延びる該第１当接プレートの下端縁の幅寸法未満であり、前記第２支持フラップの自由端縁の幅寸法が、前記第２縦中心線と前記第１当接プレートの連接側縁との間に延びる前記第２当接プレートの下端縁の幅寸法未満であり、前記第３支持フラップの自由端縁の幅寸法が、前記第２縦中心線と前記第２当接プレートの連接側縁との間に延びる該第２当接プレートの下端縁の幅寸法未満であり、前記第４支持フラップの自由端縁の幅寸法が、前記側部フラップの下端縁の幅寸法未満である請求項３に記載の商品収容容器。
【請求項５】
前記商品収容容器では、前記第１支持フラップと前記第４支持フラップとが幅方向へ離間して該第１支持フラップと該第４支持フラップとの間に幅方向へ延びる第１間隙が形成され、前記第２支持フラップと前記第３支持フラップとが幅方向へ離間して該第２支持フラップと該第３支持フラップとの間に幅方向へ延びる第２間隙が形成され、前記第１および第２当接プレートが該商品の厚みによって前後方向へ膨隆したときに、前記第１支持フラップと前記第４支持フラップとが前記第１間隙において幅方向へ互いに近接し、前記第２支持フラップと前記第３支持フラップとが前記第２間隙において幅方向へ互いに近接することで、前記下方開口が狭窄する請求項４に記載の商品収容容器。
【請求項６】
前記商品収容容器では、前記第１固着フラップを前記第１支持フラップに固着する前の該第１固着フラップが前記第１折曲縁から前記第１当接プレートに向かって斜め上方へ傾斜し、前記第１固着フラップを前記第１支持フラップに固着した後の該第１固着フラップが前記第１折曲縁で下方に折曲されているとともに該第１支持フラップに平行し、前記第２固着フラップを前記第３支持フラップに固着する前の該第２固着フラップが前記第２折曲縁から前記第２当接プレートに向かって斜め上方へ傾斜し、前記第２固着フラップを前記第３支持フラップに固着した後の該第２固着フラップが前記第２折曲縁で下方に折曲されているとともに該第３支持フラップに平行している請求項４または請求項５に記載の商品収容容器。
【請求項７】
前記商品収容容器では、前記第１固着フラップの幅寸法が前記第１支持フラップの幅寸法と略同一または該第１支持フラップの幅寸法よりもわずかに小さく、前記第２固着フラップの幅寸法が前記第３支持フラップの幅寸法と略同一または該第３支持フラップの幅寸法よりもわずかに小さい請求項４ないし請求項６いずれかに記載の商品収容容器。
【請求項８】
前記商品を前記内部スペースに収容する前では、前記第１および第４支持フラップが前記第１当接プレートに対して斜め上方へ傾斜することなく該第１当接プレートに並行し、前記第２および第３支持フラップが前記第２当接プレートに対して斜め上方へ傾斜することなく該第２当接プレートに並行する請求項１ないし請求項７いずれかに記載の商品収容容器。
【請求項９】
前記商品収容容器が、前記第１当接プレートの上端縁に連接されて前記商品を取り出す上方開口を閉じる蓋プレートを含み、前記第１当接プレートが、その上端縁と該第１当接プレートの上端縁から下方へ向かって弧を画く切り離し可能な切り離しミシン線とに囲まれて前記上方開口を閉じる半月状上部を含み、前記蓋プレートが、前記第２当接プレートに向かって弧を画く湾曲端縁と、前記湾曲端縁に連接されて前記第２当接プレートに固着された固着フラップとを備え、前記商品収容容器では、前記蓋プレートが前記第１当接プレートの上端縁において折曲されて前記第２当接プレートに向かって斜め下方へ傾斜し、前記半月状上部が前記切り離しミシン線によって折曲されて前記第２当接プレートに向かって斜め上方へ傾斜し、前記第１当接プレートが前記切り離しミシン線に沿って後方へ凸となるように弧を画き、前記第２当接プレートが前記湾曲端縁に沿って前方へ凸となるように弧を画いている請求項１ないし請求項８いずれかに記載の商品収容容器。
【発明の詳細な説明】
【技術分野】
【０００１】
本発明は、商品を収容する商品収容容器に関し、さらに詳細には、陳列棚やショーケースに載置して商品を展示し、または、壁や吊り下げラック、吊り下げ棚に吊り下げて商品を展示する商品商用容器に関する。
【背景技術】
【０００２】
糊代フラップ、後側板、左側板、前側板、右側板を折線を介して横方向に連接した胴構成材と、後側板の上方に天面フラップ、天差込みフラップ、左側板の上方に左袖フラップ、右側板の上方に右袖フラップを折線を介して連接したシールエンドタイプの蓋構成材と、後側板と前側板との下方に第１および２底板、第１および第２前支え板、第１および第２折返し糊代フラップ、第１および第２緩衝板、第１および第２後支え板を折線を介して縦方向に連接したワンタッチタイプ底の一部構成材を含む緩衝板構成材と、左側板と右側板との下方に第１および第２引張り辺付き複合フラップ、第１および第２糊代フラップを折線を介して縦方向に連接したワンタッチタイプの底構成材から形成された展開材を使用し、第１緩衝板を折曲げて第１糊代フラップの上に重ねて固着し、この状態から第１後支え板を折返しながら後側板（１）に糊付けし、第２緩衝板を折曲げて第２糊代フラップの上に重ねて固着し、この状態から第２後支え板を折返しながら前側板に糊付けし、第１および第２底板を折曲げて後側板および前側板上に重ね、第１および第２引張り辺付き複合フラップと第１および第２糊代フラップとを折曲げて左側板および右側板上に重ね、後側板を左側板の上に、右側板を前側板の上にそれぞれ折曲げて重ねながら、底板と糊代フラップと右側板と糊代フラップとを固着して折畳状態の組函とし、この折畳状態の組函の両脇を押して起立状態に移行する過程で、第１および第２前支え板と第１および第２後支え板とで支持された第１および第２緩衝板を突き合わすように底上に形成する緩衝機能付底ワンタッチ組函が開示されている（特許文献１参照）。
【先行技術文献】
【特許文献】
【０００３】
【特許文献１】特許第４３８４５２８号
【発明の概要】
【発明が解決しようとする課題】
【０００４】
特許文献１に開示の組函は、底をワンタッチで組み立てられることができる。しかし、組函は、天面フラップや天差込みフラップ、左袖フラップ、右袖フラップから形成されたシールエンドタイプの蓋構成材を開放し、上方開口から内部スペースに商品を挿入した後、蓋構成材によって上方開口を閉じる。この組函は、その内部スペースに商品を収容する商品収容作業に手間を要し、商品を内部スペースに簡単な手順で短時間に収容することができない。
【０００５】
本発明の目的は、手間を要さずに簡単な手順で内部スペースに商品を収容することができ、商品を内部スペースに短時間に収容することができる商品収容容器を提供することにある。本発明の他の目的は、内部スペースに収容された商品を確実に支持することができ、内部スペースからの商品の抜け出しを防ぐことができる商品収容容器を提供することにある。
【課題を解決するための手段】
【０００６】
前記課題を解決するための本発明の前提は、上下方向へ延びる第１当接プレートと、第１当接プレートの連接側縁に連接されて上下方向へ延びていて第１当接プレートに対向する第２当接プレートと、第１当接プレートの連接側縁とは反対側の第２当接プレートの連接側縁に連接されて上下方向へ延びていて第１当接プレートに固着された側部フラップとを有し、それらプレートに囲繞された内部スペースに立体形状の商品を収容する商品収容容器である。
【０００７】
前記前提における本発明の収容容器の特徴は、商品収容容器が、第１当接プレートの下端縁に連接され、第１当接プレートの内側に位置して下端縁から斜め上方へ所定の角度で傾斜可能な第１支持フラップと、第１支持フラップの側方に隣接して第２当接プレートの下端縁に連接され、第２当接プレートの内側に位置して下端縁から斜め上方へ所定の角度で傾斜可能な第２支持フラップと、第２支持フラップの側方に隣接して第２当接プレートの下端縁に連接され、第２当接プレートの内側に位置して下端縁から斜め上方へ所定の角度で傾斜可能な第３支持フラップと、第３支持フラップの側方に隣接して側部フラップの下端縁に連接され、側部フラップの内側に位置して下端縁から斜め上方へ所定の角度で傾斜可能な第４支持フラップとを含み、第２支持フラップが、第１当接プレートの連接側縁の側から上方へ延びていて収容容器の中心軸に次第に近づくように斜め上方へ傾斜する第１折曲縁と、第１折曲縁に連接されて第１支持フラップの自由端縁に並行し、第１支持フラップに固着されて第１および第２支持フラップを斜め上方へ所定角度で傾斜させる第１固着フラップとを備え、第４支持フラップが、第２当接プレートの連接側縁の側から上方へ延びていて収容容器の中心軸に次第に近づくように斜め上方へ傾斜する第２折曲縁と、第２折曲縁に連接されて第３支持フラップの自由端縁に並行し、第３支持フラップに固着されて第３および第４支持フラップを斜め上方へ所定角度で傾斜させる第２固着フラップとを備え、商品収容容器では、第１〜第４支持フラップの自由端縁に囲繞されて商品を挿入する下方開口が画成され、商品を下方開口から内部スペースに挿入するときに、下方開口が広がって商品が内部スペースに収容され、内部スペースに収容された商品に当接する第１および第２当接プレートが商品の厚みによって前後方向へ膨隆したときに、第１〜第４支持フラップが斜め上方へ所定の角度で傾斜しつつ下方開口が狭窄し、第１〜第４支持フラップの自由端縁が商品の底面に当接して商品が第１〜第４支持フラップに抜け出し不能に支持されることにある。
【０００８】
本発明の収容容器の一例として、商品収容容器では、第１および第２当接プレートが商品の厚みによって前後方向へ膨隆したときに、第１および第４支持フラップの自由端縁が第１当接プレートの内面の側から第２当接プレートの側に向かって移動し、第２および第３支持フラップの自由端縁が第２当接プレートの内面の側から第１当接プレートの側に向かって移動することで、下方開口が狭窄する。
【０００９】
本発明の収容容器の他の一例として、商品収容容器では、第１当接プレートの幅寸法と第２当接プレートの幅寸法とが略同一であり、側部フラップの幅寸法が第１および第２当接プレートの幅寸法の略半分であり、第１支持フラップが、第１当接プレートの幅寸法を二分する第１縦中心線と第１当接プレートの連接側縁との間に延びる第１当接プレートの下端縁に連接され、第２支持フラップが、第２当接プレートの幅寸法を二分する第２縦中心線と第１当接プレートの連接側縁との間に延びる第２当接プレートの下端縁に連接され、第３支持フラップが、第２縦中心線と第２当接プレートの連接側縁との間に延びる第２当接プレートの下端縁に連接されている。
【００１０】
本発明の収容容器の他の一例としては、第１支持フラップの自由端縁の幅寸法が、第１縦中心線と第１当接プレートの連接側縁との間に延びる第１当接プレートの下端縁の幅寸法未満であり、第２支持フラップの自由端縁の幅寸法が、第２縦中心線と第１当接プレートの連接側縁との間に延びる第２当接プレートの下端縁の幅寸法未満であり、第３支持フラップの自由端縁の幅寸法が、第２縦中心線と第２当接プレートの連接側縁との間に延びる第２当接プレートの下端縁の幅寸法未満であり、第４支持フラップの自由端縁の幅寸法が、側部フラップの下端縁の幅寸法未満である。
【００１１】
本発明の収容容器の他の一例として、商品収容容器では、第１支持フラップと第４支持フラップとが幅方向へ離間して第１支持フラップと第４支持フラップとの間に幅方向へ延びる第１間隙が形成され、第２支持フラップと第３支持フラップとが幅方向へ離間して第２支持フラップと第３支持フラップとの間に幅方向へ延びる第２間隙が形成され、第１および第２当接プレートが商品の厚みによって前後方向へ膨隆したときに、第１支持フラップと第４支持フラップとが第１間隙において幅方向へ互いに近接し、第２支持フラップと第３支持フラップとが第２間隙において幅方向へ互いに近接することで、下方開口が狭窄する。
【００１２】
本発明の収容容器の他の一例として、商品収容容器では、第１固着フラップを第１支持フラップに固着する前の第１固着フラップが第１折曲縁から第１当接プレートに向かって斜め上方へ傾斜し、第１固着フラップを第１支持フラップに固着した後の第１固着フラップが第１折曲縁で下方に折曲されているとともに第１支持フラップに平行し、第２固着フラップを第３支持フラップに固着する前の第２固着フラップが第２折曲縁から第２当接プレートに向かって斜め上方へ傾斜し、第２固着フラップを第３支持フラップに固着した後の第２固着フラップが第２折曲縁で下方に折曲されているとともに第３支持フラップに平行している。
【００１３】
本発明の収容容器の他の一例として、商品収容容器では、第１固着フラップの幅寸法が第１支持フラップの幅寸法と略同一または第１支持フラップの幅寸法よりもわずかに小さく、第２固着フラップの幅寸法が第３支持フラップの幅寸法と略同一または第３支持フラップの幅寸法よりもわずかに小さい。
【００１４】
本発明の収容容器の他の一例として、商品を内部スペースに収容する前では、第１および第４支持フラップが第１当接プレートに対して斜め上方へ傾斜することなく第１当接プレートに並行し、第２および第３支持フラップが第２当接プレートに対して斜め上方へ傾斜することなく第２当接プレートに並行する。
【００１５】
本発明の収容容器の他の一例としては、商品収容容器が、第１当接プレートの上端縁に連接されて商品を取り出す上方開口を閉じる蓋プレートを含み、第１当接プレートが、その上端縁と第１当接プレートの上端縁から下方へ向かって弧を画く切り離し可能な切り離しミシン線とに囲まれて上方開口を閉じる半月状上部を含み、蓋プレートが、第２当接プレートに向かって弧を画く湾曲端縁と、湾曲端縁に連接されて第２当接プレートに固着された固着フラップとを備え、商品収容容器では、蓋プレートが第１当接プレートの上端縁において折曲されて第２当接プレートに向かって斜め下方へ傾斜し、半月状上部が切り離しミシン線によって折曲されて第２当接プレートに向かって斜め上方へ傾斜し、第１当接プレートが切り離しミシン線に沿って後方へ凸となるように弧を画き、第２当接プレートが湾曲端縁に沿って前方へ凸となるように弧を画いている。
【発明の効果】
【００１６】
本発明にかかる商品収容容器によれば、立体形状の商品を容器の下方開口から容器の内部スペースに収容するから、蓋を開けて上方開口を開放し、開放した上方開口から立体形状の商品を内部スペースに収容した後、蓋によって上方開口を閉じるという商品収容作業を行う必要はなく、手間を要さずに簡単な手順で内部スペースに商品を収容することができ、商品を内部スペースに短時間に収容することができる。商品収容容器は、内部スペースに商品を収容したときに、内部スペースに収容された商品に当接する第１および第２当接プレートが商品の厚みによって前後方向へ膨隆し、第１〜第４支持フラップが斜め上方へ所定の角度で傾斜しつつ下方開口が狭窄し、第１〜第４支持フラップの自由端縁が立体形状の商品の底面に当接するから、第１〜第４支持フラップを利用して商品を内部スペースに確実に保持することができ、内部スペースからの商品の抜け出しを防ぐことができる。
【００１７】
第１および第２当接プレートが商品の厚みによって前後方向へ膨隆したときに、第１および第４支持フラップの自由端縁が第１当接プレートの内面の側から第２当接プレートの側に向かって移動し、第２および第３支持フラップの自由端縁が第２当接プレートの内面の側から第１当接プレートの側に向かって移動することで、下方開口が狭窄する商品収容容器は、第１および第４支持フラップの自由端縁が第１当接プレートの内面の側から第２当接プレートの側に向かって移動し、第２および第３支持フラップの自由端縁が第２当接プレートの内面の側から第１当接プレートの側に向かって移動して下方開口が狭窄するから、内部スペースに商品を収容したときに、下方開口の面積が商品の底面の面積よりも小さくなり、第１〜第４支持フラップの自由端縁が立体形状の商品の底面に確実に当接し、第１〜第４支持フラップを利用して商品を内部スペースに保持することができ、内部スペースからの商品の抜け出しを防ぐことができる。
【００１８】
第１当接プレートの幅寸法と第２当接プレートの幅寸法とが略同一であり、側部フラップの幅寸法が第１および第２当接プレートの幅寸法の略半分であり、第１支持フラップが第１当接プレートの幅寸法を二分する第１縦中心線と第１当接プレートの連接側縁との間に延びる第１当接プレートの下端縁に連接され、第２支持フラップが第２当接プレートの幅寸法を二分する第２縦中心線と第１当接プレートの連接側縁との間に延びる第２当接プレートの下端縁に連接され、第３支持フラップが第２縦中心線と第２当接プレートの連接側縁との間に延びる第２当接プレートの下端縁に連接されている商品収容容器は、第１支持フラップが第１縦中心線と第１当接プレートの連接側縁との間に延びる第１当接プレートの下端縁から斜め上方へ所定の角度で傾斜し、第２支持フラップが第２縦中心線と第１当接プレートの連接側縁との間に延びる第２当接プレートの下端縁から斜め上方へ所定の角度で傾斜し、第３支持フラップが第２縦中心線と第２当接プレートの連接側縁との間に延びる第２当接プレートの下端縁から斜め上方へ所定の角度で傾斜するとともに、第４支持フラップが側部フラップの下端縁から斜め上方へ所定の角度で傾斜するから、それら支持フラップが互いに邪魔することなく、それら支持フラップの自由端縁を立体形状の商品の底面に確実に当接させることができる。商品収容容器は、商品の底面に当接する第１〜第４支持フラップの自由端縁によって商品を内部スペースに確実に保持することができ、内部スペースからの商品の抜け出しを防ぐことができる。
【００１９】
第１支持フラップの自由端縁の幅寸法が第１縦中心線と第１当接プレートの連接側縁との間に延びる第１当接プレートの下端縁の幅寸法未満であり、第２支持フラップの自由端縁の幅寸法が第２縦中心線と第１当接プレートの連接側縁との間に延びる第２当接プレートの下端縁の幅寸法未満であり、第３支持フラップの自由端縁の幅寸法が第２縦中心線と第２当接プレートの連接側縁との間に延びる第２当接プレートの下端縁の幅寸法未満であり、第４支持フラップの自由端縁の幅寸法が側部フラップの下端縁の幅寸法未満である商品収容容器は、自由端縁の幅寸法が第１縦中心線と第１当接プレートの連接側縁との間に延びる第１当接プレートの下端縁の幅寸法未満である第１支持フラップが第１縦中心線と第１当接プレートの連接側縁との間に延びる第１当接プレートの下端縁から斜め上方へ所定の角度で傾斜し、自由端縁の幅寸法が第２縦中心線と第１当接プレートの連接側縁との間に延びる第２当接プレートの下端縁の幅寸法未満である第２支持フラップが第２縦中心線と第１当接プレートの連接側縁との間に延びる第２当接プレートの下端縁から斜め上方へ所定の角度で傾斜し、自由端縁の幅寸法が第２縦中心線と第２当接プレートの連接側縁との間に延びる第２当接プレートの下端縁の幅寸法未満である第３支持フラップが第２縦中心線と第２当接プレートの連接側縁との間に延びる第２当接プレートの下端縁から斜め上方へ所定の角度で傾斜するとともに、自由端縁の幅寸法が側部フラップの下端縁の幅寸法未満である第４支持フラップが側部フラップの下端縁から斜め上方へ所定の角度で傾斜するから、それら支持フラップが互いに邪魔することなく、それら支持フラップの自由端縁を立体形状の商品の底面に確実に当接させることができる。商品収容容器は、商品の底面に当接する第１〜第４支持フラップの自由端縁によって商品を内部スペースに確実に保持することができ、内部スペースからの商品の抜け出しを防ぐことができる。
【００２０】
第１支持フラップと第４支持フラップとが幅方向へ離間して第１支持フラップと第４支持フラップとの間に幅方向へ延びる第１間隙が形成され、第２支持フラップと第３支持フラップとが幅方向へ離間して第２支持フラップと第３支持フラップとの間に幅方向へ延びる第２間隙が形成され、第１および第２当接プレートが商品の厚みによって前後方向へ膨隆したときに、第１支持フラップと第４支持フラップとが第１間隙において幅方向へ互いに近接し、第２支持フラップと第３支持フラップとが第２間隙において幅方向へ互いに近接することで、下方開口が狭窄する商品収容容器は、立体形状の商品を容器の下方開口から容器の内部スペースに収容するときに、第１および第２間隙が存在することによって下方開口の面積が広がり、商品を容器の下方開口から容器の内部スペースに確実に収容することができ、手間を要さず短時間に商品を内部スペースに収容することができる。商品収容容器は、内部スペースに立体形状の商品を収容し、第１および第２当接プレートが商品の厚みによって前後方向へ膨隆したときに、第１支持フラップと第４支持フラップとが第１間隙において幅方向へ互いに近接し、第２支持フラップと第３支持フラップとが第２間隙において幅方向へ互いに近接することで、下方開口が狭窄するから、下方開口の面積が商品の底面の面積よりも小さくなり、第１〜第４支持フラップの自由端縁が立体形状の商品の底面に確実に当接し、第１〜第４支持フラップを利用して商品を内部スペースに保持することができ、内部スペースからの商品の抜け出しを防ぐことができる。
【００２１】
第１固着フラップを第１支持フラップに固着する前の第１固着フラップが第１折曲縁から第１当接プレートに向かって斜め上方へ傾斜し、第１固着フラップを第１支持フラップに固着した後の第１固着フラップが第１折曲縁で下方に折曲されているとともに第１支持フラップに平行し、第２固着フラップを第３支持フラップに固着する前の第２固着フラップが第２折曲縁から第２当接プレートに向かって斜め上方へ傾斜し、第２固着フラップを第３支持フラップに固着した後の第２固着フラップが第２折曲縁で下方に折曲されているとともに第３支持フラップに平行している商品収容容器は、固着される前に第１折曲縁から第１当接プレートに向かって斜め上方へ傾斜する第１固着フラップを第１折曲縁で下方に折曲しつつ第１支持フラップに平行した状態で第１支持フラップに固着し、固着される前に第２折曲縁から第２当接プレートに向かって斜め上方へ傾斜する第２固着フラップを第２折曲縁で下方に折曲しつつ第３支持フラップに平行した状態で第３支持フラップに固着することで、内部スペースに立体形状の商品を収容し、第１および第２当接プレートが商品の厚みによって前後方向へ膨隆したときに、第１固着フラップによって第１および第２支持フラップを斜め上方へ確実に傾斜させることができ、第２固着フラップによって第３および第４支持フラップを斜め上方へ確実に傾斜させることができる。商品収容容器は、第１および第２固着フラップによって第１〜第４支持フラップを斜め上方へ傾斜させることができるから、それによって下方開口が狭窄しつつ第１〜第４支持フラップの自由端縁が立体形状の商品の底面に確実に当接し、第１〜第４支持フラップを利用して商品を内部スペースに保持することができ、内部スペースからの商品の抜け出しを防ぐことができる。
【００２２】
第１固着フラップの幅寸法が第１支持フラップの幅寸法と略同一または第１支持フラップの幅寸法よりもわずかに小さく、第２固着フラップの幅寸法が第３支持フラップの幅寸法と略同一または第３支持フラップの幅寸法よりもわずかに小さい商品収容容器は、第１および第２固着フラップの幅寸法をそのようにすることで、第１支持フラップと第４支持フラップとの間に幅方向へ延びる第１間隙が形成され、第２支持フラップと第３支持フラップとの間に幅方向へ延びる第２間隙が形成され、立体形状の商品を容器の下方開口から容器の内部スペースに収容するときに、第１および第２間隙の存在によって下方開口の面積が広がり、商品を容器の下方開口から容器の内部スペースに確実に収容することができる。
【００２３】
商品を内部スペースに収容する前において、第１および第４支持フラップが第１当接プレートに対して斜め上方へ傾斜することなく第１当接プレートに並行し、第２および第３支持フラップが第２当接プレートに対して斜め上方へ傾斜することなく第２当接プレートに並行する商品収容容器は、商品を内部スペースに収容する前、第１および第４支持フラップが第１当接プレートに並行し、第２および第３支持フラップが第２当接プレートに並行するから、商品を収容する前において商品収容容器を扁平に畳むことができ、商品収容容器が嵩張ることはなく、多数の商品収容容器を重ねて保管することができる。
【００２４】
第１当接プレートの上端縁に連接されて商品を取り出す上方開口を閉じる蓋プレートを含み、第１当接プレートがその上端縁と第１当接プレートの上端縁から下方へ向かって弧を画く切り離し可能な切り離しミシン線とに囲まれて上方開口を閉じる半月状上部を含み、蓋プレートが第２当接プレートに向かって弧を画く湾曲端縁と湾曲端縁に連接されて第２当接プレートに固着された固着フラップとを備え、蓋プレートが第１当接プレートの上端縁において折曲されて第２当接プレートに向かって斜め下方へ傾斜し、半月状上部が切り離しミシン線によって折曲されて第２当接プレートに向かって斜め上方へ傾斜し、第１当接プレートが切り離しミシン線に沿って後方へ凸となるように弧を画き、第２当接プレートが湾曲端縁に沿って前方へ凸となるように弧を画いている商品収容容器は、第１当接プレートが切り離しミシン線に沿って後方へ凸となるように弧を画き、第２当接プレートが湾曲端縁に沿って前方へ凸となるように弧を画くことで、商品収容容器が扁平から立体的な形状に変化し、商品を収容する内部スペースと第１〜第４支持フラップの自由端縁に囲繞された下方開口とが画成され、その下方開口から内部スペースに商品を容易に収容することができる。商品収容容器は、切り離し可能な切り離しミシン線において第１当接プレートを切り離すことで、蓋プレートが第１当接プレートから分離し、蓋プレートによって閉じられた上方開口を簡単に開けることができ、内部スペースに収容された商品を上方開口から容易に引き出すことができる。
【図面の簡単な説明】
【００２５】
【図１】一例として示す商品収容容器の斜視図。
【図２】図１の商品収容容器の正面図。
【図３】図１の商品収容容器の背面図。
【図４】図１の商品収容容器の側面図。
【図５】図１の商品収容容器の底面図。
【図６】図２のＡ−Ａ線矢視断面図。
【図７】図４のＢ−Ｂ線矢視断面図。
【図８】組み立てる以前の状態の商品収容容器の展開図。
【図９】商品を収容した状態の商品収容容器の斜視図。
【図１０】商品を収容した状態の商品収容容器の側面図。
【図１１】商品を収容した状態の商品収容容器の底面図。
【発明を実施するための形態】
【００２６】
一例として示す商品収容容器１０の斜視図である図１等の添付の図面を参照し、本発明にかかる商品収容容器の詳細を説明すると、以下のとおりである。なお、図２は、図１の商品収容容器１０の正面図であり、図３は、図１の商品収容容器１０の背面図である。図４は、図１の商品収容容器１０の側面図であり、図５は、図１の商品収容容器１０の底面図である。図６は、図２のＡ−Ａ線矢視断面図であり、図７は、図４のＢ−Ｂ線矢視断面図である。図８は、組み立てる以前の状態の商品収容容器１０の展開図である。図８では、商品収容容器１０をその内面２８の側から示す。図１，８では、上下方向を矢印Ｘ、幅方向を矢印Ｙで示し、前後方向を矢印Ｚ（図１のみ）で示す。
【００２７】
商品収容容器１０は、可撓性を有する厚紙または可撓性を有するプラスチック板から作られ、その内部スペース５０に立体形状（所定形状）の商品５１（図９参照）を収容する。商品収容容器１０は、その内部スペース５０に商品５１を収容した状態で、陳列棚やショーケースに載置され、または、壁や吊り下げラック、吊り下げ棚に吊り下げられることで、その商品５１を展示する。商品５１には化粧品容器や食品容器等があるが、立体形状の商品５１であればその種類に特に制限はない。
【００２８】
商品収容容器１０は、第１および第２当接プレート１１，１２、側部フラップ１３、蓋プレート１４、第１〜第４支持フラップ１５〜１８、第１および第２固着フラップ１９，２０から形成されている。第１当接プレート１１（第１当接板）は、上下方向へ長い所定面積の矩形に成形（矩形に裁断）され、上下方向へ延びている。第１当接プレート１１は、幅方向へ直状に延びる上端縁２１および下端縁２２と、上下方向へ直状に延びる両側縁２３，２４とを有する。
【００２９】
第１当接プレート１１の上端縁２１近傍には、下方へ凸となるように円弧を画く切り離しミシン線２５が作られている。切り離しミシン線２５は、第１当接プレート１１の一方の側縁２３と他方の側縁２４との間に延びている。第１当接プレート１１の上端縁２１には、折曲ミシン線２６が作られている。第１当接プレート１１には、上端縁２１（折曲ミシン線２６）と切り離しミシン線２５とによって囲まれた半月状上部２７が画成されている。
【００３０】
第１当接プレート１１では、上端縁２１と切り離しミシン線２５と囲まれた半月状上部２７が切り離し線２５によって折曲され、半月状上部２７が第２当接プレート１２に向かって斜め上方へ傾斜している。切り離しミシン線２５から第１当接プレート１１を切り離すことにより、上端縁２１および切り離しミシン線２５によって囲まれた半月状上部２７（蓋プレート１４を含む）を第１当接プレート１１から切り離すことができる。
【００３１】
第２当接プレート１２（第２当接板）は、上下方向へ長い所定面積の矩形に成形（矩形に裁断）され、上下方向へ延びている。第２当接プレート１２は、第１当接プレート１１の一方の側縁２４（連接側縁）に連接され、その内面２８が第１当接プレート１１の内面２８に対向している。第２当接プレート１２は、幅方向へ直状に延びる上端縁２９および下端縁３０と、上下方向へ直状に延びる側縁３１（第１当接プレート１１の側縁２４（連接側縁）とは反対側の側縁３１（連接側縁））とを有する。第２当接プレート１２は、その幅方向の寸法（幅寸法）が第１当接プレート１１の幅方向の寸法（幅寸法）と同一であり、その上下方向の寸法（縦寸法）が第１当接プレート１１の上下方向の寸法（縦寸法）と同一である。
【００３２】
第２当接プレート１２の中央部には、商品を視認可能な上下方向へ長い矩形の商品視認窓３２（商品視認開口）が作られている。商品視認窓３２は、無色透明または有色透明の可撓性のプラスチックフィルム３３に覆われている。プラスチックフィルム３３は、第２当接プレート１２全体に貼付されている。第２当接プレート１２の上端縁２９には、商品収容容器１０を吊り下げるための所定面積の吊り下げプレート３４（吊り下げ板）が連接されている。吊り下げプレート３４は、第２当接プレート１２の上端縁２９から上方へ直状に延びている。吊り下げプレート３４の上方には、壁や吊り下げラック、吊り下げ棚に設置されたフックを挿通する円形のフック挿通孔３５が作られている。
【００３３】
側部フラップ１３（側部固着板）は、上下方向へ長い所定面積の略矩形に成形（矩形に裁断）され、上下方向へ延びている。側部フラップ１３は、第２当接プレート１２の側縁３１（連接側縁）に連接され、その外面３６が接着剤（糊）（図示せず）によって第１当接プレート１１の内面２８に固着されている。側部フラップ１３は、その幅方向の寸法（幅寸法）が第１および第２当接プレート１１，１２の幅方向の寸法（幅寸法）の略半分であり、その上下方向の寸法が第１および第２当接プレート１１，１２の上下方向の寸法と略同一である。
【００３４】
蓋プレート１４（蓋板）は、所定面積の半月状に成形（半月状に裁断）され、第１当接プレート１１の上端縁２１に連接されて第２当接プレート１２に向かって延びている（図８の展開図では上方へ向かって延びている）。蓋プレート１４は、第２当接プレート１２に向かって凸となるように円弧を画く（図８の展開図では上方へ向かって凸となるように円弧を画く）湾曲端縁３７と、湾曲端縁３７の中央に連接されて第２当接プレート１２に向かって延びる（図８の展開図では上方へ向かって延びる）中央固着フラップ３８とを有する。
【００３５】
蓋プレート１４は、第１当接プレート１１の上端縁２１（折曲ミシン線２６）において折曲され、第２当接プレート１２に向かって斜め下方へ傾斜している。蓋プレート１４は、その中央固着フラップ３８が接着剤（糊）（図示せず）によって第２当接プレート１２の内面２８に固着され、中央固着フラップ３８を介して第２当接プレート１２に連結されている。商品収容容器１０では、第１および第２当接プレート１１，１２の上端縁２１，２９に囲繞された上方開口３９が半月状上部２７および蓋プレート１４によって閉じられている。
【００３６】
第１支持フラップ１５は、所定面積の略矩形に成形（略矩形に裁断）されている。第１支持フラップ１５は、第１当接プレート１１の幅方向の寸法（幅寸法）を二分（二等分）して上下方向へ延びる第１縦中心線Ｌ１（図８参照）と当接プレート１１の側縁２４（連接側縁）との間に延びる第１当接プレート１１の下端縁２２に連接されている。
【００３７】
第１支持フラップ１５は、その自由端縁４０の幅方向の寸法（幅寸法）が第１縦中心線Ｌ１と第１当接プレート１１の側縁２４（連接側縁）との間に延びる当接プレート１１の下端縁２２の幅方向の寸法（幅寸法）未満（当接プレート１１の下端縁２２の幅方向の寸法の半分の寸法未満）であり、第１縦中心線Ｌ１と第１当接プレート１１の側縁２４（連接側縁）との間に延びる当接プレート１１の下端縁２２の幅方向の寸法よりもわずかに（２〜５ｍｍ程度）小さい。
【００３８】
第１支持フラップ１５は、第１当接プレート１１の内面２８に向かって折曲され、第１当接プレート１１の内側に位置して当接プレート１１の下端縁２２から斜め上方へ所定の角度で傾斜している（図８の展開図では第１当接プレート１１の下端縁２２から下方へ延びている）。なお、商品５１を内部スペース５０に収容する前では、第１支持フラップ１５が第１当接プレート１１に対して斜め上方へ傾斜することなく、第１支持フラップ１５が第１当接プレート１１の内面２８に並行している。商品５１を内部スペース５０に収容すると、第１支持フラップ１５が第１当接プレート１１の下端縁２２から斜め上方へ所定の角度で傾斜する。したがって、第１支持フラップ１５は、第１当接プレート１１の下端縁２２に対して旋回可能であり、当接プレート１１の下端縁２２から斜め上方へ所定の角度で傾斜可能である。
【００３９】
第２支持フラップ１６は、所定面積の略矩形に成形（略矩形に裁断）されている。第２支持フラップ１６は、第１支持フラップ１５の幅方向側方に隣接し、第１支持フラップ１５の幅方向側方に並んでいる。第２支持フラップ１６は、第２当接プレート１２の幅方向の寸法（幅寸法）を二分（二等分）して上下方向へ延びる第２縦中心線Ｌ２（図８参照）と第１当接プレート１１の連接側縁２４との間に延びる第２当接プレート１２の下端縁３０に連接されている。
【００４０】
第２支持フラップ１６は、その自由端縁４１の幅方向の寸法（幅寸法）が第２縦中心線Ｌ２と第１当接プレート１１の側縁（連接側縁２４）との間に延びる第２当接プレート１２の下端縁３０の幅方向の寸法（幅寸法）未満（当接プレート１２の下端縁３０の幅方向の寸法の半分の寸法未満）であり、第２縦中心線Ｌ２と第１当接プレート１１の側縁２４との間に延びる第２当接プレート１２の下端縁３０の上下方向の寸法よりもわずかに（２〜５ｍｍ程度）小さい。
【００４１】
第２支持フラップ１６は、第２当接プレート１２の内面２８に向かって折曲され、第２当接プレート１２の内側に位置して当接プレート１２の下端縁３０から斜め上方へ所定の角度で傾斜している（図８の展開図では当接プレート１２の下端縁２０から下方へ延びている）。なお、商品５１を内部スペース５０に収容する前では、第２支持フラップ１６が第２当接プレート１２に対して斜め上方へ傾斜することなく、第２支持フラップ１６が第２当接プレート１２の内面２８に並行している。商品５１を内部スペース５０に収容すると、第２支持フラップ１６が第２当接プレート１２の下端縁３０から斜め上方へ所定の角度で傾斜する。したがって、第２支持フラップ１６は、第２当接プレート１２の下端縁３０に対して旋回可能であり、当接プレート１２の下端縁３０から斜め上方へ所定の角度で傾斜可能である。
【００４２】
第２支持フラップ１６は、第１折曲縁４２と第１固着フラップ１９とを備えている。第１折曲縁４２は、第１当接プレート１１の側縁２４（連接側縁）の側から上方へ延びるとともに、容器１０の中心軸に次第に近づくように斜め上方へ傾斜している（図８の展開図では第１当接プレート１１の側縁２４（連接側縁）の側から第２縦中心線Ｌ２に向かって斜め下方に傾斜している）。
【００４３】
第１固着フラップ１９は、所定面積の略矩形に成形（略矩形に裁断）されている。第１固着フラップ１９は、その幅方向の寸法（幅寸法）が第１支持フラップ１５の幅方向の寸法（幅寸法）と略同一であるが、第１支持フラップ１５の幅方向の寸法（幅寸法）よりもわずかに（１〜２ｍｍ程度）小さくてもよい。第１固着フラップ１９は、第１折曲縁４２に連接され、第１支持フラップ１５の自由端縁４０に平行した状態で、その内面２８が第１支持フラップ１５の外面３６に接着剤（糊）（図示せず）によって固着されている。第１固着フラップ１９は、第１および第２支持フラップ１５，１６を各当接プレート１１，１２の下端縁２２，３０から斜め上方へ所定角度で傾斜させる。
【００４４】
第１固着フラップ１９は、第２支持フラップ１６とともに第２当接プレート１２の内面２８に向かって折曲されている。折曲後の第１固着フラップ１９は、固着フラップ１９を第１支持フラップ１６に固着する前において、第１折曲縁４２から第１当接プレート１１に向かって斜め上方へ傾斜している（図８の展開図では第１折曲縁４２から第１当接プレート１１の側に向かって斜め下方へ傾斜している）。第１支持フラップ１５に固着された後の第１固着フラップ１９は、第１折曲縁４２で下方に折曲されているとともに第１支持フラップ１５の自由端縁４０に平行している。
【００４５】
第３支持フラップ１７は、所定面積の略矩形に成形（略矩形に裁断）されている。第３支持フラップ１７は、第２支持フラップ１６の幅方向側方に隣接し、第２支持フラップ１６の幅方向側方に並んでいる。第３支持フラップ１７は、第２縦中心線Ｌ２と第２当接プレート１２の側縁３１（連接側縁）との間に延びる第２当接プレート１２の下端縁３０に連接されている。
【００４６】
第３支持フラップ１７は、その自由端縁４３の幅方向の寸法（幅寸法）が第２縦中心線Ｌ２と第２当接プレート１２の側縁３１（連接側縁）との間に延びる第２当接プレート１２の下端縁３０の幅方向の寸法（幅寸法）未満（当接プレート１２の下端縁３０の幅方向の寸法の半分の寸法未満）であり、第２縦中心線Ｌ２と第２当接プレート１２の側縁３１との間に延びる第２当接プレート１２の下端縁３０の幅方向の寸法よりもわずかに（２〜５ｍｍ程度）小さい。
【００４７】
第３支持フラップ１７は、第２当接プレート１２の内面２８に向かって折曲され、第２当接プレート１２の内側に位置して当接プレート１２の下端縁３０から斜め上方へ所定の角度で傾斜している（図８の展開図では第２当接プレート１２の下端縁３０から下方へ延びている）。なお、商品５１を内部スペース５０に収容する前では、第３支持フラップ１７が第２当接プレート１２に対して斜め上方へ傾斜することなく、第３支持フラップ１７が第２当接プレート１２の内面２８に並行している。商品５１を内部スペース５０に収容すると、第３支持フラップ１７が第２当接プレート１２の下端縁３０から斜め上方へ所定の角度で傾斜する。したがって、第３支持フラップ１７は、第２当接プレート１２の下端縁３０に対して旋回可能であり、当接プレート１２の下端縁３０から斜め上方へ所定の角度で傾斜可能である。
【００４８】
第４支持フラップ１８は、所定面積の略矩形に成形（略矩形に裁断）されている。第４支持フラップ１８は、第３支持フラップ１７の幅方向側方に隣接し、第３支持フラップ１７の幅方向側方に並んでいる。第４支持フラップ１８は、側部フラップ１３の下端縁４４に連接されている。第４支持フラップ１８は、その自由端縁４５の幅方向の寸法（幅寸法）が側部フラップ１３の下端縁４４の幅方向の寸法（幅寸法）未満であり、側部フラップ１３の下端縁４４の幅方向の寸法よりもわずかに（２〜５ｍｍ程度）小さい。
【００４９】
第４支持フラップ１８は、側部フラップ１３の内面２８に向かって折曲され、側部フラップ１３の内側に位置して側部フラップ１３の下端縁４４から斜め上方へ所定の角度で傾斜している（図８の展開図では側部フラップ１３の下端縁４４から下方へ延びている）。なお、商品５１を内部スペース５０に収容する前では、第４支持フラップ１８が側部フラップ１３に対して斜め上方へ傾斜することなく、第４支持フラップ１８が側部フラップ１３の内面２８に並行している。商品５１を内部スペース５０に収容すると、第４支持フラップ１８が側部フラップ１３の下端縁４４から斜め上方へ所定の角度で傾斜する。したがって、第４支持フラップ１８は、側部フラップ１３の下端縁４４に対して旋回可能であり、側部フラップ１３の下端縁４４から斜め上方へ所定の角度で傾斜可能である。
【００５０】
第４支持フラップ１８は、第２折曲縁４６と第２固着フラップ４８とを備えている。第２折曲縁４６は、第２当接プレート１２の側縁３１（連接側縁）の側から上方へ延びるとともに、容器の中心軸に次第に近づくように斜め上方へ傾斜している（図８の展開図では第２当接プレート１２の側縁３１（連接側縁）の側から側部フラップ１３に向かって斜め下方に傾斜している）。
【００５１】
第２固着フラップ４８は、所定面積の略矩形に成形（略矩形に裁断）されている。第２固着フラップ４８は、その幅方向の寸法（幅寸法）が第３支持フラップ１７の幅方向の寸法（幅寸法）と略同一であるが、第３支持フラップ１７の幅方向の寸法（幅寸法）よりもわずかに（１〜２ｍｍ程度）小さくてもよい。第２固着フラップ４８は、第２折曲縁４６に連接され、第３支持フラップ１７の自由端縁４３に平行した状態で、その内面２８が第３支持フラップ１７の外面３６に接着剤（糊）（図示せず）によって固着されている。第２固着フラップ４８は、第３および第４支持フラップ１７，１８を各当接プレート１１，１２の下端縁２２，３０から斜め上方へ所定角度で傾斜させる。
【００５２】
第２固着フラップ４８は、第４支持フラップ１８とともに側部フラップ１３の内面２８に向かって折曲されている。折曲後の第２固着フラップ４８は、固着フラップ４８を第３支持フラップ１７に固着する前において、第２折曲縁４６から第２当接プレート１２に向かって斜め上方へ傾斜している（図８の展開図では第２折曲縁４６から第２当接プレート１２の側に向かって斜め下方へ傾斜している）。第３支持フラップ１７に固着された後の第２固着フラップ４８は、第２折曲縁４６で下方に折曲されているとともに第３支持フラップ１７の自由端縁４３に平行している。
【００５３】
商品収容容器１０では、蓋プレート１４の円弧を画く湾曲端縁３７が第２当接プレート１２を前方へ押圧し、それによって、当接プレート１２が湾曲端縁３７の湾曲形状に沿って前後方向前方へ凸となるように円弧（弧）を画くとともに、第１当接プレート１１が湾曲ミシン線２６の湾曲形状に沿って前後方向後方へ凸となるように円弧（弧）を画いている。商品収容容器１０では、前方へ円弧を画く第２当接プレート１２と後方へ円弧を画く第１当接プレート１１との間に商品を収容可能な内部スペース５０が画成され、第１〜第４支持フラップ１５〜１８の各自由端縁４０，４１，４４，４６に囲繞された下方開口４７が画成されている。
【００５４】
図８の展開図から商品収容容器１０を組み立てる手順の一例は、以下のとおりである。第１当接プレート１１と第１支持フラップ１５とが略直交するように、第１支持フラップ１５を第１当接プレート１１の下端縁２２おいて略直角に折曲し、第２支持フラップ１２（第１固着フラップ１９を含む）と第２当接プレート１６とが略直交するように、第２支持フラップ１２を第２当接プレート１６の下端縁３０において略直角に折曲するとともに、第１固着フラップ１９を第２支持フラップ１２の第１折曲縁４２において下方に折曲する。
【００５５】
次に、第１当接プレート１１と第２当接プレート１２とが略直交するように、第１当接プレート１１を側縁２４（連結側縁）において略直角に折曲し、第１固着フラップ１９を第１支持フラップ１５の自由端縁４０に平行（並行）させた状態で、接着剤（糊）によって第１固着フラップ１９の内面２８を第１支持フラップ１５の外面３６に固着する。
【００５６】
第２当接プレート１２と第３支持フラップ１７とが略直交するように、第３支持フラップ１７を第２当接プレート１２の下端縁３０において略直角に折曲し、第４支持フラップ１８（第２固着フラップ４８を含む）と側部フラップ１３とが略直交するように、第４支持フラップ１８を側部フラップ１３の下端縁４４において略直角に折曲するとともに、第２固着フラップ４８を第４支持フラップ１８の第２折曲縁４６において下方に折曲する。
【００５７】
次に、第２当接プレート１２と側部フラップ１３とが略直交するように、側部フラップ１３を第２当接プレート１２の側縁３１（連結側縁）において略直角に折曲し、第２固着フラップ４８を第３支持フラップ１７の自由端縁４３に平行（並行）させた状態で、接着剤（糊）によって第２固着フラップ４８の内面２８を第３支持フラップ１７の外面３６に固着する。
【００５８】
第２固着フラップ４８を第３支持フラップ１７に固着した後、側部フラップ１３の内面２８と第２当接プレート１２の内面２８とが対向するように、側部フラップ１３を側縁３１（連結側縁）において折曲し、第２当接プレート１２と側部フラップ１３とを重ね合わせる。第２当接プレート１２と側部フラップ１３とを重ね合わせると、第２固着フラップ４８の外面３６と第４支持フラップ１８の外面３６とが対向（当接）するように、第２固着フラップ４８と第４支持フラップ１８とが第２折曲縁４６においてさらに折曲される。
【００５９】
第１当接プレート１１の内面２８と側部フラップ１３の外面３６とが対向するように、第１当接プレート１１を側縁２４（連結側縁）においてさらに折曲し、第１当接プレート１１と側部フラップ１３とを重ね合わせ、接着剤（糊）によって第１当接プレート１１の内面２８を側部フラップ１３の外面３６に固着する。第１当接プレート１１と側部フラップ１３とを固着すると、第１固着フラップ１９の外面３６と第２支持フラップ１６の外面３６とが対向（当接）するように、第１固着フラップ１９と第２支持フラップ１６とが第１折曲縁４２においてさらに折曲される。
【００６０】
第１当接プレート１１と側部フラップ１３とを固着した後、蓋プレート１４が第２当接プレート１２に向かうように、半月状の蓋プレート１４を第１当接プレート１１の上端縁２１（折曲ミシン線２６）において折曲し、蓋プレート１４を上方開口３９に差し込むとともに、第１当接プレート１１の半月状上部２７が第２当接プレート１２に向かうように、半月状上部２７を切り離しミシン線２５において折曲する。次に、接着剤（糊）によって蓋プレート１４の中央固着フラップ３８を第２当接プレート１２の内面２８に固着し、図１の商品収容容器１０が完成する。
【００６１】
蓋プレート１４を上方開口３９に差し込むと、蓋プレート１４の湾曲端縁３７が第２当接プレート１２の内面２８に当接し、蓋プレート１４の湾曲端縁３７に押圧された第２当接プレート１２が前後方向前方へ向かって湾曲する。第１当接プレート１１の半月状上部２７を切り離しミシン線２５において折曲すると、湾曲する切り離しミシン線２５（湾曲する半月状上部２７の切り離し縁）によって第１当接プレート１１が前後方向後方へ向かって湾曲する。
【００６２】
商品収容容器１０では、図５に示すように、第１〜第４支持フラップ１５〜１８の自由端縁４０，４１，４４，４６に囲繞された下方開口４７が画成されている。さらに、第１支持フラップ１５と第４支持フラップ１８とが幅方向へ離間して第１支持フラップ１５と第４支持フラップ１８との間に幅方向へ延びる第１間隙４８が形成され、第２支持フラップ１６と第３支持フラップ１７とが幅方向へ離間して第２支持フラップ１６と第３支持フラップ１７との間に幅方向へ延びる第２間隙４９が形成されている。
【００６３】
商品収容容器１０は、第１当接プレート１１が折曲ミシン線２６の湾曲形状に沿って前後方向後方へ凸となるように円弧（弧）を画き、第２当接プレート１２が湾曲端縁３７の湾曲形状に沿って前後方向前方へ凸となるように円弧（弧）を画くことで、容器１０が扁平から立体的な形状に変化し、商品を収容する内部スペース５０と第１〜第４支持フラップ１５〜１８の自由端縁４０，４１，４４，４６に囲繞された下方開口４７とが画成される。
【００６４】
一方の商品収容容器１０の第２当接プレート１２の外面３６に他方の容器１０の第１当接プレート１１の外面３６が重なるように、内部スペース５０に商品５１を収容する前の複数の容器１０を上下方向へ重ね合わせると、蓋プレート１４と第１当接プレート１１の半月状上部２７とが重なり合い、第１当接プレート１１の内面２８と第２当接プレート１２の内面２８とが重なり合うとともに、第１固着フラップ１９（第１支持フラップ１５）と第２支持フラップ１６とが重なり合い、第２固着フラップ４８（第３支持フラップ１７）と第４支持フラップ１８とが重なり合って容器１０を扁平に畳むことができる。商品収容容器１０は、商品５１を内部スペース５０に収容する前、第１および第４支持フラップ１５，１８が第１当接プレート１１に並行し、第２および第３支持フラップ１６，１７が第２当接プレート１２に並行するように、容器１０を扁平に畳むことができるから、容器１０が嵩張ることはなく、多数の容器１０を重ねて保管することができる。
【００６５】
図９は、内部スペース５０に円筒状（立体形状）の商品５１を収容した状態の商品収容容器１０の斜視図であり、図１０は、商品５１を収容した状態の商品収容容器１０の側面図である。図１１は、商品５１を収容した状態の商品収容容器１０の底面図である。商品収容容器１０は、既に蓋プレート１４によって上方開口３９が閉じられた状態にあるが、略円筒状（立体形状）の商品５１を下方開口４７から内部スペース５０に差し込むことで、商品５１を内部スペース５０に収容することができる。なお、商品収容容器１０に収容される商品５１は円筒状に限らず、三角柱状や四角柱状等のあらゆる立体形状の商品５１が含まれる。
【００６６】
商品収容容器１０は、商品５１の頭部を上方開口３９に差し込むと、上方開口３９から商品５１が内部スペース５０に次第に進入する。商品５１を内部スペース５０に差し込む過程において、最初に商品５１の頭部が上方開口３９を画成する第１〜第４支持フラップ１５〜１８を押し広げ、商品５１の頭部の外周面が第１〜第４支持フラップ１５〜１８の自由端縁４０，４１，４４，４６を摺動しつつ頭部が次第に内部スペース５０に進入し、次に商品５１の胴部が第１〜第４支持フラップ１５〜１８を押し広げ、商品５１の胴部の外周面が第１〜第４支持フラップ１５〜１８の自由端縁４０，４１，４４，４６を摺動しつつ胴部が次第に内部スペース５０に進入する。
【００６７】
商品５１の全体が商品収容容器１０の内部スペース５０に進入すると、商品５１の外周面が第１および第２当接プレート１１，１２の内面２８に当接しつつ、商品５１の外周面が第１当接プレート１１を前後方向後方に押圧するとともに、商品５１の外周面が第２当接プレート１２を前後方向前方に押圧する。商品５１の外周面（厚み）によって押圧された第１当接プレート１１は前後方向後方へ膨隆し（張り出し）、商品５１の外周面（厚み）によって押圧された第２当接プレート１２は前後方向前方へ膨隆する（張り出す）。
【００６８】
第１当接プレート１１が前後方向後方へ膨隆し、第２当接プレート１２が前後方向前方へ膨隆すると、第１支持フラップ１５と第１固着フラップ１９とが第２当接プレート１２に向かって斜め上方へ所定の角度で傾斜し、第２支持フラップ１６が第１当接プレート１１に向かって斜め上方へ所定の角度で傾斜するとともに、第３支持フラップ１７と第２固着フラップ４８とが第１当接プレート１１に向かって斜め上方へ所定の角度で傾斜し、第４支持フラップ１８が第２当接プレート１２に向かって斜め上方へ所定の角度で傾斜する。
【００６９】
さらに、第１および第４支持フラップ１５，１８の自由端縁４０，４６が第１当接プレート１１の内面２８の側から第２当接プレート１２の側に向かって移動し、第２および第３支持フラップ１６，１７の自由端縁４１，４４が第２当接プレート１２の内面の側から第１当接プレート１１の側に向かって移動するとともに、第１支持フラップ１５と第４支持フラップ１８とが第１間隙４８において幅方向へ互いに近接し、第２支持フラップ１６と第３支持フラップ１７とが第２間隙４９において幅方向へ互いに近接する。
【００７０】
各支持フラップ１５〜１８が各当接プレート１１，１２に向かって斜め上方へ傾斜し、各支持フラップ１５〜１８の自由端縁４０，４１，４４，４６が各当接プレート１１，１２に向かって移動するとともに、それら支持フラップ１１，２が各間隙５０，５１において近接することで、図１１に示すように、下方開口４７が狭窄し（窄まり）、第１〜第４支持フラップ１５〜１８の自由端縁４０，４１，４４，４６が商品５１の底面５２に当接する。第１〜第４支持フラップ１５〜１８の自由端縁４０，４１，４４，４６が商品５１の底面５２に当接すると、第１〜第４支持フラップ１５〜１８によって商品５１が商品収容容器１０の内部スペース５０に抜け出し不能に支持される。
【００７１】
商品収容容器１０の内部スペース５０に収容された商品５１を取り出すには、切り離しミシン線２５によって第１当接プレート１１から半月状上部２７を切り離し、第１当接プレート１１と半月状上部２７とを分離して上方開口３９を開放する。上方開口３９を開放した後、上方開口３９から商品５１を取り出す。商品収容容器１０は、切り離し可能な切り離しミシン線２５において第１当接プレート１１を切り離すことで、蓋プレート１４（半月状上部２７を含む）が第１当接プレート１１から分離し、蓋プレート１４によって閉じられた上方開口３９を簡単に開けることができ、内部スペース５０に収容された商品５１を上方開口３９から容易に引き出す（取り出す）ことができる。
【００７２】
商品収容容器１０は、円筒状（立体形状）の商品５１を容器１０の下方開口４７から容器１０の内部スペース５０に収容するから、蓋プレート１４を開けて上方開口３９を開放し、開放した上方開口３９から立体形状の商品５１を内部スペース５０に収容した後、蓋プレート１４によって上方開口３９を閉じるという商品収容作業を行う必要はなく、手間を要さずに簡単な手順で内部スペース５０に商品５１を収容することができ、商品５１を内部スペース５０に短時間に収容することができる。
【００７３】
商品収容容器１０は、内部スペース５０に商品５１を収容したときに、内部スペース５０に収容された商品５１に当接する第１および第２当接プレート１１，１２が商品５１の厚みによって前後方向へ膨隆し（張り出し）、第１〜第４支持フラップ１５〜１８が各当接プレート１１，１２に向かって斜め上方へ傾斜しつつ、第１および第４支持フラップ１５，１８の自由端縁４０，４６が第１当接プレート１１の内面２８の側から第２当接プレート１２の側に向かって移動し、第２および第３支持フラップ１６，１７の自由端縁４１，４４が第２当接プレート１２の内面２８の側から第１当接プレート１１の側に向かって移動するとともに、第１支持フラップ１５と第４支持フラップ１８とが第１間隙４８において幅方向へ互いに近接し、第２支持フラップ１６と第３支持フラップ１７とが第２間隙４９において幅方向へ互いに近接することで、下方開口４７が狭窄する。したがって、商品５１を内部スペース５０に収容した後の下方開口４７の面積が商品５１の底面５２の面積よりも小さくなり、第１〜第４支持フラップ１５〜１８の自由端縁４０，４１，４４，４６が円筒状（立体形状）の商品５１の底面５２に確実に当接し、第１〜第４支持フラップ１５〜１８を利用して商品５１を内部スペース５０に保持することができ、内部スペース５０からの商品５１の抜け出しを防ぐことができる。
【符号の説明】
【００７４】
１０    商品収容容器
１１    第１当接プレート
１２    第２当接プレート
１３    側部フラップ
１４    蓋プレート
１５    第１支持フラップ
１６    第２支持フラップ
１７    第３支持フラップ
１８    第４支持フラップ
１９    第１固着フラップ
２０    第２固着フラップ
２１    上端縁
２２    下端縁
２３    側縁
２４    側縁（連結側縁）
２５    切り離しミシン線
２６    折曲ミシン線
２７    半月状上部
２８    内面
２９    上端縁
３０    下端縁
３１    側縁（連結側縁）
３２    商品視認窓
３３    プラスチックフィルム
３４    吊り下げプレート
３５    フック挿通孔
３６    外面
３７    湾曲端縁
３８    中央固着フラップ
３９    上方開口
４０    自由端縁
４１    自由端縁
４２    第１折曲縁
４３    自由端縁
４４    下端縁
４５    自由端縁
４６    第２折曲縁
４７    下方開口
４８    第１間隙
４９    第２間隙
５０    内部スペース
５１    商品
５２    底面
Ｌ１    第１中心線
Ｌ２    第２中心線
【図１】
0006677541.tif 000002
【図２】
0006677541.tif 000003
【図３】
0006677541.tif 000004
【図４】
0006677541.tif 000005
【図５】
0006677541.tif 000006
【図６】
0006677541.tif 000007
【図７】
0006677541.tif 000008
【図８】
0006677541.tif 000009
【図９】
0006677541.tif 000010
【図１０】
0006677541.tif 000011
【図１１】
0006677541.tif 000012